(57)【要約】【課題】光コードの輻輳を防ぎ、光コードの正確な撤去及び増設に寄与することができる光コード収納構造および光接続用パネルを提供する。【解決手段】光接続用パネル１０Ａは、Ｘ軸方向に配列された複数の光アダプタ２６と、光コード収納構造２８とを備えている。光コード収納構造２８は、複数の光アダプタ２６にそれぞれ結合される複数の光コネクタ５２を先端に有する複数の光コード５１を収納するために、複数の光コード５１を個々に巻回した状態でそれぞれ収納する複数のトレイ３０Ａを備えている。複数のトレイ３０ＡはＸ軸方向に並んで配置されており、且つ個々のトレイ３０Ａは独立してＸ軸方向に移動可能となっている。【選択図】図１
2014112155.tif 000002
【特許請求の範囲】
【請求項１】
所定方向に配列された複数の光アダプタを備えるとともに、前記複数の光アダプタにそれぞれ結合される複数の光コネクタを先端に有する複数の光コードを収納する光接続用パネルの光コード収納構造であって、
前記複数の光コードを個々に巻回した状態でそれぞれ収納する複数のトレイを備え、
前記複数のトレイが前記所定方向に並んで配置されており、且つ個々の前記トレイが独立して前記所定方向に移動可能となっていることを特徴とする、光コード収納構造。
【請求項２】
前記所定方向に延びており前記所定方向に対して垂直な断面の形状が円形である棒状部材を更に備え、
前記複数のトレイが、前記棒状部材の外周面に対して摺動可能に嵌合する嵌合部を各々有することを特徴とする、請求項１に記載の光コード収納構造。
【請求項３】
前記嵌合部が前記棒状部材に対して着脱可能であることを特徴とする、請求項２に記載の光コード収納構造。
【請求項４】
前記複数のトレイと共に前記所定方向に並んで配置され、前記所定方向における前記複数のトレイの移動を制限する固定板を更に備えることを特徴とする、請求項１〜３のいずれか一項に記載の光コード収納構造。
【請求項５】
前記複数のトレイが、前記光コードの前記光コネクタを保持するコネクタ保持部を各々有することを特徴とする、請求項１〜４のいずれか一項に記載の光コード収納構造。
【請求項６】
前記複数のトレイが、各トレイと前記光コネクタとの間の前記光コードの長さを可変にする機構を有することを特徴とする、請求項１〜５のいずれか一項に記載の光コード収納構造。
【請求項７】
所定方向に配列された複数の光アダプタと、
前記複数の光アダプタにそれぞれ結合される複数の光コネクタが先端に取り付けられた複数の光コードを個々に巻回した状態でそれぞれ収納する複数のトレイと
を備え、
前記複数のトレイが前記所定方向に並んで配置されており、且つ個々の前記トレイが独立して前記所定方向に移動可能となっていることを特徴とする、光接続用パネル。
【発明の詳細な説明】
【技術分野】
【０００１】
本発明は、光コード収納構造および光接続用パネルに関するものである。
【背景技術】
【０００２】
特許文献１には、光ケーブル配線架が開示されている。この光ケーブル配線架では、光ケーブルアダプタを付設した仕切プレートを有する多数の中継トレイが、配線架本体をなす架枠に対してそれぞれ独立して開閉できるように、各中継トレイの一側縁部が架枠に蝶着されている。これにより、配線架本体の正面側において、局内装置側線路だけでなく加入者側線路の接続ないし解除作業等を各中継トレイ毎に独立して行うことができる。
【先行技術文献】
【特許文献】
【０００３】
【特許文献１】特開２００３−２３４５８４号公報
【発明の概要】
【発明が解決しようとする課題】
【０００４】
光通信ネットワークにおいて、局内に引き込まれた光ファイバケーブルは、局内装置に接続される前に種々の光ケーブルや光コードに変換される。例えば、局舎内に配設される光ケーブルは管路を通るので、このような光ケーブルとしてはケーブル外径が小さくなるようにテープ心線（４心等）が使用され、また局内装置に近づくに従って単心の光コードが使用される。そして、局内装置の近傍において光コードの種類を変換する際には、着脱の容易性や作業性を考えて光コネクタ・光アダプタによる接続方式が多く用いられる。
【０００５】
上記の接続方式の具体例として、一次側の光ケーブルと二次側の光コードとを相互に接続するための光接続用パネルが多段状に配置された光配線架がある。このような光配線架では、例えば光接続用パネルの正面側に一次側の光ケーブルが配置され、光接続用パネルの背面側に局内装置側の複数の光コードが配置される。そして、光接続用パネルの正面側と背面側との境界部分には、一次側の光ケーブルの一端に取り付けられた複数の光アダプタが固定される。これらの光アダプタには、二次側の光コードの一端に取り付けられた複数の光コネクタが挿入される。
【０００６】
しかしながら、このような光接続用パネルでは、二次側の光コードの余長部分や光アダプタに接続されていない光コード（以下、保留コードという）が背面側のスペースに留め置かれることがある。そのような場合、これらの余長部分や保留コードが輻輳することによって、光コードの撤去や増設の際に、光コードの選択を誤ったり、或いは他の光コードに接触して伝送障害が生じるおそれがある。
【０００７】
本発明は、このような問題点に鑑みてなされたものであり、光コードの輻輳を防ぎ、光コードの正確な撤去及び増設に寄与することができる光コード収納構造および光接続用パネルを提供することを目的とする。
【課題を解決するための手段】
【０００８】
上述した課題を解決するために、本発明による光コード収納構造は、所定方向に配列された複数の光アダプタを備えるとともに、複数の光アダプタにそれぞれ結合される複数の光コネクタを先端に有する複数の光コードを収納する光接続用パネルの光コード収納構造であって、複数の光コードを個々に巻回した状態でそれぞれ収納する複数のトレイを備え、複数のトレイが所定方向に並んで配置されており、且つ個々のトレイが独立して所定方向に移動可能となっていることを特徴とする。
【０００９】
この光コード収納構造では、複数の光コードが、個々に巻回された状態で複数のトレイに収納される。これにより、複数の光コードが輻輳することを効果的に防止することができる。更に、これら複数のトレイは、所定方向に並んで配置されており且つ個々のトレイが独立して所定方向（複数の光アダプタの配列方向）に移動可能となっている。すなわち、光接続用パネルの外側（例えば背面側）から或る光コネクタや光アダプタを扱う際に、複数のトレイを上記所定方向の両端へ寄せることができる。これにより、作業者の手を、複数のトレイの隙間から光コネクタ・光アダプタの近くへ容易に挿入することができ、作業性が向上する。したがって、この光コード収納構造によれば、光コードの正確な撤去及び増設に寄与することができる。
【００１０】
また、光コード収納構造は、所定方向に延びており所定方向に対して垂直な断面の形状が円形である棒状部材を更に備え、複数のトレイが、棒状部材の外周面に対して摺動可能に嵌合する嵌合部を各々有することを特徴としてもよい。これにより、個々のトレイが独立して所定方向に移動可能な構成を簡易に実現することができる。また、この場合、嵌合部は棒状部材に対して着脱可能であることが好ましく、これによりトレイの数を任意に調整することが容易となる。
【００１１】
また、光コード収納構造は、複数のトレイと共に所定方向に並んで配置され、所定方向における複数のトレイの移動を制限する固定板を更に備えることを特徴としてもよい。これにより、移動後の複数のトレイを安定して保持することができる。
【００１２】
また、光コード収納構造は、複数のトレイが、光コードの光コネクタを保持するコネクタ保持部を各々有することを特徴としてもよい。これにより、光アダプタに接続されていない光コードと他の光コードとの輻輳を効果的に防ぐことができる。
【００１３】
また、光コード収納構造は、複数のトレイが、各トレイと光コネクタとの間の光コードの長さを可変にする機構を有することを特徴としてもよい。これにより、複数のトレイの移動に応じて光コードの長さを変えることができるので、トレイの移動によって光コードに生じる張力を低減することができ、また過大な曲げが光コードに生じることを防止できる。
【００１４】
また、本発明による光接続用パネルは、所定方向に配列された複数の光アダプタと、複数の光アダプタにそれぞれ結合される複数の光コネクタが先端に取り付けられた複数の光コードを個々に巻回した状態でそれぞれ収納する複数のトレイとを備え、複数のトレイが所定方向に並んで配置されており、且つ個々のトレイが独立して所定方向に移動可能となっていることを特徴とする。この光接続用パネルによれば、複数の光コードが個々に巻回された状態で複数のトレイに収納されるので、複数の光コードが輻輳することを効果的に防止することができる。更に、複数のトレイがそれぞれ独立して所定方向に移動可能となっているので、作業性が向上し、光コードの正確な撤去及び増設に寄与することができる。
【発明の効果】
【００１５】
本発明による光コード収納構造および光接続用パネルによれば、光コードの輻輳を防ぎ、光コードの正確な撤去及び増設に寄与することができる。
【図面の簡単な説明】
【００１６】
【図１】図１は、本発明の第１実施形態に係る光接続用パネルを示す斜視図であって、光コードを収納した状態を示している。
【図２】図２は、本発明の第１実施形態に係る光接続用パネルを示す斜視図であって、光コードを収納した状態を示している。
【図３】図３は、本発明の第１実施形態に係る光接続用パネルを示す斜視図であって、光コードを省略して示している。
【図４】図４は、本発明の第１実施形態に係る光接続用パネルを示す斜視図であって、光コードを省略して示している。
【図５】図５は、第１実施形態のトレイの構成を示す斜視図であって、トレイの蓋部が開いた状態を示している。
【図６】図６は、図５に示されたトレイの内部に一本の光コードが収納された状態を示す斜視図である。
【図７】図７は、ガイド及び固定板を示す斜視図である。
【図８】図８は、ガイド及び固定板を拡大して示す切り欠き斜視図である。
【図９】図９は、一変形例に係るトレイの外観を示す斜視図である。
【図１０】図１０は、図９に示されたトレイの、光コードの長さを可変にする機構の動作を示す図であって、（ａ）は可撓部材が撓んでいない通常の状態を示しており、（ｂ）は可撓部材が撓んだ状態を示している。
【図１１】図１１は、光コードの長さを可変にする機構の別の例を示す図であって、（ａ）は光コードに引張力が生じていない状態を示しており、（ｂ）は光コードに引張力が生じている状態を示している。
【図１２】図１２は、本発明の第２実施形態に係る光コード収納ユニットを示す斜視図である。
【発明を実施するための形態】
【００１７】
以下、添付図面を参照しながら本発明による光コード収納構造および光接続用パネルの実施の形態を詳細に説明する。なお、図面の説明において同一の要素には同一の符号を付し、重複する説明を省略する。
【００１８】
（第１の実施の形態）
図１〜図４は、本発明の第１実施形態に係る光接続用パネル１０Ａを示す斜視図である。なお、図１及び図２は、光コード５１を収納した状態を示す図であり、図３及び図４は光コード５１を省略した図である。また、図１及び図３は、光接続用パネル１０Ａが備える複数のトレイ３０ＡがＸ軸方向（本実施形態における所定方向）の中央付近に集合した状態を示しており、図２及び図４は、複数のトレイ３０ＡがＸ軸方向の両端に寄せられた状態を示している。理解の容易のため、図１〜図４にはＸＹＺ直交座標系が示されている。
【００１９】
本実施形態の光接続用パネル１０Ａは、局内の光配線架（ラック）の各段に収納される。なお、光配線架の寸法は標準化されており、幅や奥行きは一定であり、高さは４４ｍｍを「１Ｕ」としてその整数倍となる。例えば、本実施形態の光接続用パネル１０Ａは、高さ３Ｕ（１３２ｍｍ）である。
【００２０】
光接続用パネル１０Ａは、図１〜図４に示されるように、筐体２０、アダプタパネル２５、及び光コード収納構造２８を備えている。筐体２０は、光接続用パネル１０Ａの機械的強度を保持する部材であって、底板２１及び側板２２，２３を有する。底板２１は略長方形状を呈する平板であって、光接続用パネル１０Ａの一次側（正面側）から二次側（背面側）へ、すなわち光接続用パネル１０Ａの奥行き方向（Ｙ軸方向）に延びている。底板２１は、光接続用パネル１０Ａの奥行き方向（Ｙ軸方向）と直交する幅方向（Ｘ軸方向）に沿った一対の辺２１ａ，２１ｂと、奥行き方向（Ｙ軸方向）に沿った一対の側辺２１ｃ，２１ｄとを有する。
【００２１】
側板２２，２３は、底板２１の一対の側辺２１ｃ，２１ｄに固定されており、光接続用パネル１０Ａの奥行き方向（Ｙ軸方向）及び底板２１の法線方向（Ｚ軸方向）の双方に沿って延びている。側板２２，２３の二次側（背面側）の端部には、筐体２０を光配線架に固定するためのブラケット２２ａ，２３ａが設けられている。
【００２２】
アダプタパネル２５は、Ｘ軸方向及びＺ軸方向の双方に沿って延びる平板状の部材である。Ｘ軸方向に沿ったアダプタパネル２５の一辺は底板２１に固定されており、Ｘ軸方向と交差する方向に沿ったアダプタパネル２５の両辺は、側板２２，２３にそれぞれ固定されている。
【００２３】
図３及び図４に示されるように、アダプタパネル２５には、複数の光アダプタ２６が取り付けられている。複数の光アダプタ２６は、Ｘ軸方向に沿って配列されており、例えば本実施形態では二列にわたって配列されている。複数の光アダプタ２６は、アダプタパネル２５の一次側（正面側）において、図示しない一次側の集合ケーブルに含まれる複数の光ファイバとそれぞれ接続される。また、図１及び図２に示されるように、アダプタパネル２５の二次側（背面側）において、複数の光アダプタ２６には、複数の光コード５１の一端に取り付けられた光コネクタ５２がそれぞれ結合される。
【００２４】
光コード収納構造２８は、輻輳しがちな複数の単心光コード５１の余長部分や未接続の光コード５１をそれぞれ個別に収納して整理するための構造である。光コード収納構造２８は、底板２１上において、アダプタパネル２５に対して二次側（背面側）のスペースに設けられている。光コード収納構造２８は、樹脂製の複数のトレイ３０Ａと、棒状部材４１と、ガイド４２と、固定板４３とを備えている。
【００２５】
複数のトレイ３０Ａは、複数の光コード５１を個々に巻回した状態でそれぞれ収納する。ここで、図５は、本実施形態のトレイ３０Ａの構成を示す斜視図であって、トレイ３０Ａの蓋部３２が開いた状態を示している。また、図６は、トレイ３０Ａの内部に一本の光コード５１が収納された状態を示す斜視図である。
【００２６】
図５及び図６に示されるように、本実施形態のトレイ３０Ａは、本体部３１と、蓋部３２とを有する。本体部３１は、Ｘ軸方向を深さ方向とする有底容器であって、光コード５１を収容する収納空間３３を構成している。なお、収納空間３３は、光コード５１のうち例えば５０ｃｍ程度の部分を収納可能に構成される。
【００２７】
具体的には、本体部３１は底板３４を有する。底板３４の中央部には円形の開口が形成されており、該開口を囲むように円筒状の内壁３５が設けられている。また、底板３４の外周には、底板３４を囲むように外壁３６が設けられている。これら底板３４、内壁３５及び外壁３６に囲まれた領域が、収納空間３３となる。光コード５１は、円筒状の内壁３５を巻き芯として、内壁３５の周りに巻回されて収納される。
【００２８】
なお、内壁３５における底板３４とは反対側の一端には、トレイ３０Ａの中央部から周辺部に向けて突出する複数の突起３５ａが設けられている。また、外壁３６における底板３４とは反対側の一端には、トレイ３０Ａの周辺部から中央部に向けて突出する複数の突起３６ａが設けられている。これらの突起３５ａ及び３６ａは、トレイ３０Ａに収納された光コード５１を支持するためのものであり、突起３５ａ及び３６ａと底板３４との間に光コード５１が収納される。
【００２９】
また、本体部３１は、光接続用パネル１０Ａの外部から導かれた光コード５１を導入する導入部３７と、光コード５１を光アダプタ２６に向けて導出する導出部３８とを更に有する。導入部３７は、Ｙ軸方向における本体部３１の一端に設けられており、収納空間３３とトレイ３０Ａの外部とを相互に通じる導入路３７ａを有する。導出部３８は、Ｙ軸方向における本体部３１の他端に設けられており、収納空間３３とトレイ３０Ａの外部とを相互に通じる導出路３８ａを有する。
【００３０】
また、トレイ３０Ａは、後述する棒状部材４１の外周面に対して摺動可能に嵌合する嵌合部３９を更に有する。嵌合部３９は、本体部３１におけるＺ軸方向の一端（図１〜図４に示された底板２１に近い側の一端）に設けられており、本実施形態のトレイ３０Ａは、Ｙ軸方向に並んで配置された２つの嵌合部３９を有する。嵌合部３９は、棒状部材４１の断面形状に合わせてＣ字状の断面形状を有しており、操作者の手によって棒状部材４１に対する着脱が可能となっている。
【００３１】
蓋部３２は、本体部３１に対して開閉可能に取り付けられた板状部材である。蓋部３２は、本体部３１の底板３４と略同様の平面形状を有しており、外壁３６の一部分に開閉可能に取り付けられている。また、蓋部３２のうち外壁３６に取り付けられた部分とは反対側の部分には、本体部３１の係止爪３１ａに係合して蓋部３２の閉じた状態を維持する係合部３２ａが設けられている。
【００３２】
再び図１〜図４を参照する。棒状部材４１は、Ｘ軸方向に延びる金属製の棒状の部材であって、Ｘ軸方向に対して垂直な平面（ＹＺ平面）に沿った断面の形状は円形である。棒状部材４１は、側板２２から側板２３に亘って延びており、本実施形態では互いに平行な２本の棒状部材４１がＹ軸方向に並んで設けられている。これらの棒状部材４１は筐体２０に固定されており、棒状部材４１に嵌入される嵌合部３９（図５及び図６を参照）を有するトレイ３０Ａを、Ｘ軸方向に移動（スライド）可能に支持する。これにより、図１及び図３のように複数のトレイ３０ＡをＸ軸方向の中央部に寄せ、また、図２及び図４のように複数のトレイ３０ＡをＸ軸方向の両端部に寄せるといった、Ｘ軸方向における個々のトレイ３０Ａの独立した移動が可能となる。
【００３３】
ガイド４２及び固定板４３は、Ｘ軸方向における複数のトレイ３０Ａの移動を制限するとともに、トレイ３０Ａが倒れることを防ぐための機構である。ガイド４２は、複数のトレイ３０Ａと底板２１との間においてＸ軸方向に直線状に延びており、底板２１に固定されている。また、固定板４３は、ガイド４２上において、複数のトレイ３０Ａと共にＸ軸方向に並んで配置されており、一例では複数のトレイ３０Ａの両端に配置される。なお、本実施形態では２つの固定板４３が設けられているが、固定板４３の枚数は任意である。
【００３４】
ここで、図７は、ガイド４２及び固定板４３を示す斜視図である。また、図８は、ガイド４２及び固定板４３を拡大して示す切り欠き斜視図である。図７に示されるように、ガイド４２は、Ｘ軸方向に対して垂直な平面（ＹＺ平面）に沿った断面の形状が長方形状である中空の部材である。複数のトレイ３０Ａと対向するガイド４２の上面４２ａには、Ｘ軸方向に延びる開口４２ｂが形成されている。
【００３５】
固定板４３は、Ｘ軸方向に対して垂直な面（ＹＺ平面）に沿って延びる板状部材であって、上述した棒状部材４１が挿通される２つの貫通孔４３ａを有する。これにより、固定板４３は、複数のトレイ３０Ａと同様に、Ｘ軸方向における独立した移動が可能となっている。また、固定板４３は、ガイド４２の上面４２ａを覆うガイド受け部４３ｂを有しており、このガイド受け部４３ｂには、ネジ４４が挿通される孔が形成されている。ネジ４４は、ガイド４２の内部に配置されたネジ孔を有する金具４５（図８を参照）と螺合し、ガイド４２の上面４２ａと固定板４３のガイド受け部４３ｂとを金具４５との間に挟み込むことで、Ｘ軸方向における固定板４３の位置を固定する。
【００３６】
なお、固定板４３の位置を固定するための構造は上記のものに限られない。例えば、ガイド４２の上面４２ａにＸ軸方向に並ぶ複数のネジ孔を形成し、いずれかのネジ孔にネジ４４を螺合させることによって固定板４３の位置を固定してもよい。
【００３７】
以上の構成を備える本実施形態の光接続用パネル１０Ａ及び光コード収納構造２８によって得られる効果について説明する。光接続用パネル１０Ａ及び光コード収納構造２８では、複数の光コード５１が、個々に巻回された状態で複数のトレイ３０Ａに収納される。これにより、複数の光コード５１が輻輳することを効果的に防止することができる。更に、これら複数のトレイ３０Ａは、Ｘ軸方向に並んで配置されており、且つ個々のトレイ３０Ａが独立してＸ軸方向（すなわち複数の光アダプタ２６の配列方向）に移動可能となっている。つまり、光接続用パネル１０Ａの背面側から光コネクタ５２や光アダプタ２６を扱う（例えば着脱を行う）際に、複数のトレイ３０ＡをＸ軸方向の両端へ寄せることができる。これにより、作業者の手を、複数のトレイ３０Ａの隙間から光コネクタ５２や光アダプタ２６の近くへ容易に挿入することができ、作業性が向上する。したがって、本実施形態の光接続用パネル１０Ａ及び光コード収納構造２８によれば、光コネクタ５２の誤挿抜を防ぎ、光コード５１の正確な撤去及び増設に寄与することができる。
【００３８】
また、本実施形態のように、光コード収納構造２８は、複数のトレイ３０Ａが、Ｘ軸方向に延びる円形断面の棒状部材４１の外周面に対して摺動可能に嵌合する嵌合部３９を各々有することが好ましい。これにより、個々のトレイ３０Ａが独立してＸ軸方向に移動可能な構成を簡易に実現することができる。また、この場合、本実施形態のように、嵌合部３９は棒状部材４１に対して着脱可能であることが好ましく、これによりトレイ３０Ａの個数を任意に調整することが容易となる。
【００３９】
また、本実施形態のように、光コード収納構造２８は、Ｘ軸方向における複数のトレイ３０Ａの移動を制限する固定板４３を備えることが好ましい。これにより、移動後の複数のトレイ３０Ａを安定して保持することができる。
【００４０】
（変形例）
図９は、上記実施形態の一変形例として、トレイ３０Ｂの外観を示す斜視図である。本変形例に係るトレイ３０Ｂと上記実施形態のトレイ３０Ａとの相違点は、コネクタ保持部の有無、および光コード５１の長さを可変にする機構の有無である。
【００４１】
本変形例のトレイ３０Ｂは、上記実施形態のトレイ３０Ａの構成に加えて、コネクタ保持部６１を更に備えている。コネクタ保持部６１は、光コード５１の光コネクタ５２を保持するための部分であって、導出部３８の近傍における外壁３６の一部（一例では、図９に示されるようにアダプタパネル２５側の外側面）に設けられる。コネクタ保持部６１は、断面Ｃ字状に形成されており、光コネクタ５２の後側部分に設けられたブーツ５２ａを把持する。なお、ブーツ５２ａは、光コネクタ５２付近の光コード５１に急激な曲げが作用しないように光コード５１を保護するものであって、略円錐台形状を有するため、断面Ｃ字状のコネクタ保持部６１に好適に保持される。本変形例のトレイ３０Ｂは、このようなコネクタ保持部６１を備えることによって、光アダプタ２６（図１〜図４を参照）に接続されていない光コード５１と他の光コード５１との輻輳を効果的に防ぐことができる。
【００４２】
また、本変形例のトレイ３０Ｂは、トレイ３０Ｂと光コネクタ５２との間の光コード５１の長さを可変にする機構６２を有する。本変形例の機構６２は、内壁３５に付加された、光コード５１の巻回径を可変にする機構である。すなわち、機構６２は、円筒状の内壁３５の外周面からＹ軸方向に延びる２本の可撓部材６３ａ，６３ｂを含んで構成されている。可撓部材６３ａ，６３ｂの先端部は互いに向けて湾曲しており、内壁３５及び可撓部材６３ａ，６３ｂによって、二つの等しい長さの平行線と二つの半円形とから成る長円状といった断面形状を有する巻き芯が構成されている。また、可撓部材６３ａ，６３ｂは、弾性的に撓むことができるように、それらの一端だけが内壁３５の外面に固定された片持ち梁のような形状を成している。
【００４３】
図１０は、トレイ３０Ｂにおける上記機構６２の動作を示す図である。図１０（ａ）は可撓部材６３ａ，６３ｂが撓んでいない通常の状態を示しており、図１０（ｂ）は可撓部材６３ａ，６３ｂが撓んだ状態を示している。なお、図１０（ａ）及び図１０（ｂ）において、光コード５１が二点鎖線で示されている。
【００４４】
図１０（ａ）に示されるように、通常の状態すなわち光コード５１に引張力が生じていない状態では、可撓部材６３ａ，６３ｂに撓みが生じておらず、内壁３５及び可撓部材６３ａ，６３ｂによる巻き芯の長径は図中のＬ１となる。これに対し、図１０（ｂ）に示されるように、光コード５１がトレイ３０Ｂから離れる方向へ引っ張られることにより光コード５１に引張力が生じると、可撓部材６３ａ，６３ｂが内側へ撓んで巻き芯の長径が図中のＬ２（＜Ｌ１）となり、巻き芯の周長が短くなる。
【００４５】
したがって、光コード５１に生じた引張力に応じた長さだけ光コード５１がトレイ３０Ｂから外へ導出されるので、過大な曲げが光コード５１に生じて光損失が増すことを防止でき、伝送品質を維持することができる。特に、トレイ３０ＢがＸ軸方向に移動する際、当該トレイ３０Ｂに収納された光コード５１が接続された光アダプタ２６と当該トレイ３０Ｂとの距離が変化するので、光コード５１に引張力が生じ易い。そのような場合であっても、本変形例によれば、トレイ３０Ｂの移動に応じて光コード５１の長さを変えることができるので、トレイ３０Ｂの移動によって光コード５１に生じる張力を低減することができ、また過大な曲げが光コード５１に生じることを効果的に防止できる。
【００４６】
図１１は、光コード５１の長さを可変にする機構の別の例を示す図である。図１１（ａ）は光コード５１に引張力が生じていない状態を示しており、図１１（ｂ）は光コード５１に引張力が生じている状態を示している。なお、図１１（ａ）及び図１１（ｂ）においても、光コード５１が二点鎖線で示されている。
【００４７】
図１１に示されたトレイ３０Ｃは、トレイ３０Ｃと光コネクタ５２との間の光コード５１の長さを可変にする機構６４を有する。機構６４は、内壁３５に付加された、光コード５１の巻回径を可変にする機構である。本変形例の機構６４は、円筒状の内壁３５に対してＹ軸方向に並んで配置された円弧状の可動部６５、及びこの可動部６５を内壁３５の外周面に対して弾性的に支持する弾性部６６を含んで構成されている。可動部６５は、内壁３５とともに光コード５１の巻き芯を構成しており、弾性部６６の伸縮によってＹ軸方向に移動可能となっている。
【００４８】
図１１（ａ）に示されるように、通常の状態すなわち光コード５１に引張力が生じていない状態では、弾性部６６は縮んでおらず、内壁３５及び可動部６５による巻き芯の長径は図中のＬ３となる。これに対し、図１１（ｂ）に示されるように、光コード５１がトレイ３０Ｃから離れる方向へ引っ張られることにより光コード５１に引張力が生じると、弾性部６６が縮んで巻き芯の長径が図中のＬ４（＜Ｌ３）となり、巻き芯の周長が短くなる。
【００４９】
このようにトレイ３０Ｃでは、図９及び図１０に示されたトレイ３０Ｂと同様に、光コード５１に生じた引張力に応じた長さだけ光コード５１がトレイ３０Ｃから外へ導出されるので、トレイ３０Ｃの移動によって光コード５１に生じる張力を低減することができ、また過大な曲げが光コード５１に生じることを効果的に防止できる。
【００５０】
（第２の実施の形態）
図１２は、本発明の第２実施形態に係る光コード収納ユニット１０Ｂを示す斜視図である。なお、図１２は光コード５１を省略した図であって、光コード収納ユニット１０Ｂが備える複数のトレイ３０ＡがＸ軸方向の中央付近に集合した状態を示している。理解の容易のため、図１２にはＸＹＺ直交座標系が示されている。
【００５１】
この光コード収納ユニット１０Ｂは、光コード収納構造を備えていない光接続用パネルに取り付けられる。図１２に示されるように、本実施形態の光コード収納ユニット１０Ｂは、光コード収納構造２８を備えている。この光コード収納構造２８は、第１実施形態と同様の構成を備えている。すなわち、光コード収納構造２８は、複数のトレイ３０Ａと、棒状部材４１と、ガイド４２と、固定板４３とを備えている。なお、光コード収納構造２８は、トレイ３０Ａに代えて、図９に示されたトレイ３０Ｂや図１１に示されたトレイ３０Ｃを備えても良い。
【００５２】
また、光コード収納ユニット１０Ｂは、筐体７０を備えている。筐体７０は、光コード収納ユニット１０Ｂの機械的強度を保持する部材であって、第１実施形態の筐体２０のうちアダプタパネル２５より二次側（背面側）の部分を切り取った形状を有している。具体的には、筐体７０は、底板７１及び固定部７２，７３を有する。底板７１は略長方形状を呈する平板であって、ＸＹ平面に沿って延びている。底板７１は、光接続用パネルの奥行き方向（Ｙ軸方向）と直交する幅方向（Ｘ軸方向）に沿った一対の辺７１ａ，７１ｂと、奥行き方向（Ｙ軸方向）に沿った一対の側辺７１ｃ，７１ｄとを有する。光コード収納構造２８は、底板７１上に設けられている。
【００５３】
固定部７２，７３は、棒状部材４１及びガイド４２を底板７１に固定する部材である。固定部７２，７３は、底板７１の一対の側辺７１ｃ，７１ｄに固定されており、光接続用パネルの奥行き方向（Ｙ軸方向）及び底板７１の法線方向（Ｚ軸方向）の双方に沿って延びている。なお、筐体７０の底板７１には図示しない孔が設けられており、光コード収納ユニット１０Ｂは、その孔に挿通されたネジ等により光接続用パネル或いは光配線架に固定される。
【００５４】
本実施形態の光コード収納ユニット１０Ｂによれば、光コード収納構造２８を備えることによって、上述した第１実施形態と同様の効果を奏することができる。また、本実施形態のように、光コード収納構造２８は、光接続用パネルから独立してユニット化されてもよい。これにより、既設の光接続用パネルの輻輳対策として光コード収納構造２８を後付けすることが可能となる。
【００５５】
本発明による光コード収納構造および光接続用パネルは、上述した実施形態に限られるものではなく、他に様々な変形が可能である。例えば、上記各実施形態および変形例では、所定方向に延びる棒状部材にトレイの嵌合部が嵌合することによって所定方向にトレイが移動可能となっているが、個々のトレイを独立して所定方向に移動可能とするための構成はこれに限られず、他に様々な構成を適用することができる。
【符号の説明】
【００５６】
１０Ａ…光接続用パネル、１０Ｂ…光コード収納ユニット、２０…筐体、２１…底板、２２，２３…側板、２５…アダプタパネル、２６…光アダプタ、２８…光コード収納構造、３０Ａ，３０Ｂ，３０Ｃ…トレイ、３１…本体部、３２…蓋部、３３…収納空間、３４…底板、３５…内壁、３６…外壁、３７…導入部、３８…導出部、３９…嵌合部、４１…棒状部材、４２…ガイド、４３…固定板、４４…ネジ、５１…光コード、５２…光コネクタ、６１…コネクタ保持部、６２，６４…機構、６５…可動部、６６…弾性部、７０…筐体、７１…底板、７２，７３…固定部。
【図１】
2014112155.tif 000003
【図２】
2014112155.tif 000004
【図３】
2014112155.tif 000005
【図４】
2014112155.tif 000006
【図５】
2014112155.tif 000007
【図６】
2014112155.tif 000008
【図７】
2014112155.tif 000009
【図８】
2014112155.tif 000010
【図９】
2014112155.tif 000011
【図１０】
2014112155.tif 000012
【図１１】
2014112155.tif 000013
【図１２】
2014112155.tif 000014